(57)【特許請求の範囲】
【請求項１】
水源側から供給される水を加熱して出湯箇所へと供給する給湯部と、
ポンプを作動させて浴槽内から水を導入し、その水を加熱して前記浴槽へと循環させるふろ部と、
前記給湯部及びふろ部の作動状態を制御する制御部と
を備え、
前記制御部は、
浴槽への湯張り開始指令を受けた場合に、前記給湯部及び前記ふろ部を制御して前記浴槽に所定量の湯を張るための湯張り処理を実行する湯張り処理部と、
前記給湯部又はふろ部が所定以上の長期間にわたって使用された長期使用状態に至ったか否かを判定する判定部と、
前記判定部によって前記長期使用状態に至っていないと判定された場合と前記長期使用状態に至ったと判定された場合とで、前記湯張り処理部による湯張り処理の開始から完了までに要する時間を変更する湯張り時間変更部と
を有し、
前記湯張り処理部は、前記浴槽への湯張りの際に、前記ふろ部に設けられた前記ポンプに対し、前記給湯部から呼び水を供給する処理を実行するように構成され、
前記湯張り時間変更部は、前記判定部によって前記長期使用状態に至ったと判定された場合に、前記長期使用状態に至っていないと判定された場合よりも、前記呼び水の導入開始時期を所定時間だけ遅延させることにより、前記湯張り処理に要する時間が長くなるように構成されている
給湯器。
【請求項２】
請求項１に記載の給湯器であって、
前記湯張り処理部は、前記浴槽への湯張りの際に、前記浴槽内の残り湯の有無及び量を判定する処理を実行するように構成され、
前記湯張り時間変更部は、前記判定部によって前記長期使用状態に至ったと判定された場合に、前記長期使用状態に至っていないと判定された場合よりも、前記浴槽内の残り湯の有無及び量を判定する判定時期を所定時間だけ遅延させることにより、前記湯張り処理に要する時間が長くなるように構成されている
給湯器。
【請求項３】
水源側から供給される水を加熱して出湯箇所へと供給する給湯部と、
ポンプを作動させて浴槽内から水を導入し、その水を加熱して前記浴槽へと循環させるふろ部と、
前記給湯部及びふろ部の作動状態を制御する制御部と
を備え、
前記制御部は、
浴槽への湯張り開始指令を受けた場合に、前記給湯部及び前記ふろ部を制御して前記浴槽に所定量の湯を張るための湯張り処理を実行する湯張り処理部と、
前記給湯部又はふろ部が所定以上の長期間にわたって使用された長期使用状態に至ったか否かを判定する判定部と、
前記判定部によって前記長期使用状態に至っていないと判定された場合と前記長期使用状態に至ったと判定された場合とで、前記湯張り処理部による湯張り処理の開始から完了までに要する時間を変更する湯張り時間変更部と
を有し、
前記湯張り処理部は、前記浴槽への湯張りの際に、前記浴槽内の残り湯の有無及び量を判定する処理を実行するように構成され、
前記湯張り時間変更部は、前記判定部によって前記長期使用状態に至ったと判定された場合に、前記長期使用状態に至っていないと判定された場合よりも、前記浴槽内の残り湯の有無及び量を判定する判定時期を所定時間だけ遅延させることにより、前記湯張り処理に要する時間が長くなるように構成されている
給湯器。
【請求項４】
請求項１から請求項３までのいずれか一項に記載の給湯器であって、
前記湯張り処理部は、前記浴槽への湯張りの際に、前記浴槽内の湯量を設定湯量とするのに必要な必要湯量を前記給湯部から前記浴槽へ落とし込む処理を実行するように構成され、
前記湯張り時間変更部は、前記判定部によって前記長期使用状態に至ったと判定された場合に、前記長期使用状態に至っていないと判定された場合よりも、前記必要湯量の落とし込み開始時期を所定時間だけ遅延させることにより、前記湯張り処理に要する時間が長くなるように構成されている
給湯器。
【請求項５】
水源側から供給される水を加熱して出湯箇所へと供給する給湯部と、
ポンプを作動させて浴槽内から水を導入し、その水を加熱して前記浴槽へと循環させるふろ部と、
前記給湯部及びふろ部の作動状態を制御する制御部と
を備え、
前記制御部は、
浴槽への湯張り開始指令を受けた場合に、前記給湯部及び前記ふろ部を制御して前記浴槽に所定量の湯を張るための湯張り処理を実行する湯張り処理部と、
前記給湯部又はふろ部が所定以上の長期間にわたって使用された長期使用状態に至ったか否かを判定する判定部と、
前記判定部によって前記長期使用状態に至っていないと判定された場合と前記長期使用状態に至ったと判定された場合とで、前記湯張り処理部による湯張り処理の開始から完了までに要する時間を変更する湯張り時間変更部と
を有し、
前記湯張り処理部は、前記浴槽への湯張りの際に、前記浴槽内の湯量を設定湯量とするのに必要な必要湯量を前記給湯部から前記浴槽へ落とし込む処理を実行するように構成され、
前記湯張り時間変更部は、前記判定部によって前記長期使用状態に至ったと判定された場合に、前記長期使用状態に至っていないと判定された場合よりも、前記必要湯量の落とし込み開始時期を所定時間だけ遅延させることにより、前記湯張り処理に要する時間が長くなるように構成されている
給湯器。
【請求項６】
請求項１から請求項５までのいずれか一項に記載の給湯器であって、
前記湯張り処理部は、前記浴槽への湯張りの際に、前記浴槽内の湯温が設定温度となるまで沸かし上げる処理を実行するように構成され、
前記湯張り時間変更部は、前記判定部によって前記長期使用状態に至ったと判定された場合に、前記長期使用状態に至っていないと判定された場合よりも、沸かし上げの開始時期を所定時間だけ遅延させることにより、前記湯張り処理に要する時間が長くなるように構成されている
給湯器。
【請求項７】
水源側から供給される水を加熱して出湯箇所へと供給する給湯部と、
ポンプを作動させて浴槽内から水を導入し、その水を加熱して前記浴槽へと循環させるふろ部と、
前記給湯部及びふろ部の作動状態を制御する制御部と
を備え、
前記制御部は、
浴槽への湯張り開始指令を受けた場合に、前記給湯部及び前記ふろ部を制御して前記浴槽に所定量の湯を張るための湯張り処理を実行する湯張り処理部と、
前記給湯部又はふろ部が所定以上の長期間にわたって使用された長期使用状態に至ったか否かを判定する判定部と、
前記判定部によって前記長期使用状態に至っていないと判定された場合と前記長期使用状態に至ったと判定された場合とで、前記湯張り処理部による湯張り処理の開始から完了までに要する時間を変更する湯張り時間変更部と
を有し、
前記湯張り処理部は、前記浴槽への湯張りの際に、前記浴槽内の湯温が設定温度となるまで沸かし上げる処理を実行するように構成され、
前記湯張り時間変更部は、前記判定部によって前記長期使用状態に至ったと判定された場合に、前記長期使用状態に至っていないと判定された場合よりも、沸かし上げの開始時、
期を所定時間だけ遅延させることにより、前記湯張り処理に要する時間が長くなるように構成されている
給湯器。
【請求項８】
請求項１から請求項７までのいずれか一項に記載の給湯器であって、
前記湯張り処理部は、前記浴槽への湯張りの際に、湯張りが完了した旨を利用者に対して報知する処理を実行するように構成され、
前記湯張り時間変更部は、前記判定部によって前記長期使用状態に至ったと判定された場合に、前記長期使用状態に至っていないと判定された場合よりも、利用者に対する湯張り完了の報知時期を所定時間だけ遅延させることにより、前記湯張り処理に要する時間が長くなるように構成されている
給湯器。
【請求項９】
水源側から供給される水を加熱して出湯箇所へと供給する給湯部と、
ポンプを作動させて浴槽内から水を導入し、その水を加熱して前記浴槽へと循環させるふろ部と、
前記給湯部及びふろ部の作動状態を制御する制御部と
を備え、
前記制御部は、
浴槽への湯張り開始指令を受けた場合に、前記給湯部及び前記ふろ部を制御して前記浴槽に所定量の湯を張るための湯張り処理を実行する湯張り処理部と、
前記給湯部又はふろ部が所定以上の長期間にわたって使用された長期使用状態に至ったか否かを判定する判定部と、
前記判定部によって前記長期使用状態に至っていないと判定された場合と前記長期使用状態に至ったと判定された場合とで、前記湯張り処理部による湯張り処理の開始から完了までに要する時間を変更する湯張り時間変更部と
を有し、
前記湯張り処理部は、前記浴槽への湯張りの際に、湯張りが完了した旨を利用者に対して報知する処理を実行するように構成され、
前記湯張り時間変更部は、前記判定部によって前記長期使用状態に至ったと判定された場合に、前記長期使用状態に至っていないと判定された場合よりも、利用者に対する湯張り完了の報知時期を所定時間だけ遅延させることにより、前記湯張り処理に要する時間が長くなるように構成されている
給湯器。
【請求項１０】
請求項１から請求項９までのいずれか一項に記載の給湯器であって、
前記湯張り時間変更部は、前記判定部によって前記長期使用状態に至ったと判定された場合に、前記長期使用状態に至っていないと判定された場合には前記湯張り処理中には実施しない所定の点検処理を実行することにより、前記湯張り処理に要する時間が長くなるように構成されている
給湯器。
【請求項１１】
水源側から供給される水を加熱して出湯箇所へと供給する給湯部と、
ポンプを作動させて浴槽内から水を導入し、その水を加熱して前記浴槽へと循環させるふろ部と、
前記給湯部及びふろ部の作動状態を制御する制御部と
を備え、
前記制御部は、
浴槽への湯張り開始指令を受けた場合に、前記給湯部及び前記ふろ部を制御して前記浴槽に所定量の湯を張るための湯張り処理を実行する湯張り処理部と、
前記給湯部又はふろ部が所定以上の長期間にわたって使用された長期使用状態に至ったか否かを判定する判定部と、
前記判定部によって前記長期使用状態に至っていないと判定された場合と前記長期使用状態に至ったと判定された場合とで、前記湯張り処理部による湯張り処理の開始から完了までに要する時間を変更する湯張り時間変更部と
を有し、
前記湯張り時間変更部は、前記判定部によって前記長期使用状態に至ったと判定された場合に、前記長期使用状態に至っていないと判定された場合には前記湯張り処理中には実施しない所定の点検処理を実行することにより、前記湯張り処理に要する時間が長くなるように構成されている
給湯器。
【請求項１２】
請求項１から請求項１１までのいずれか一項に記載の給湯器であって、
前記湯張り時間変更部は、前記判定部によって前記長期使用状態に至ったと判定された場合に、前記長期使用状態に至っていないと判定された場合よりも、前記浴槽へ供給される湯の流量を減少させることにより、前記湯張り処理に要する時間が長くなるように構成されている
給湯器。
【請求項１３】
請求項１から請求項１２までのいずれか一項に記載の給湯器であって、
前記制御部は、前記判定部によって前記長期使用状態に至ったと判定された場合に、その旨の履歴情報を記憶する履歴記憶部を有する
給湯器。
【発明の詳細な説明】
【技術分野】
【０００１】
本発明は、給湯器に関する。
【背景技術】
【０００２】
潜熱回収型の給湯器が知られている（例えば、特許文献１参照。）。この種の潜熱回収型の給湯器には、酸性のドレン（凝縮水）を中和するために中和器が設けられている。中和器内の中和剤は、ドレンの中和に伴って減少する。そのため、給湯器が長期にわたって使用された場合、中和器の保守（中和剤の補充）が必要となる。そこで、この種の給湯器では、中和剤の補充時期が近づいた旨のお知らせ（警告）を表示している。
【０００３】
また、給湯器が長期にわたって使用された場合、給湯器の構成部品等に経年的な劣化が生じることがある。そのような経年的な劣化の発生が予想される場合には、特殊な表示や音声によるお知らせ（警告）を行う、エラーからの復帰操作を複雑にする、などの対応を行うことがある。
【先行技術文献】
【特許文献】
【０００４】
【特許文献１】特開２００９−９２２８６号公報
【発明の概要】
【発明が解決しようとする課題】
【０００５】
しかしながら、上述のような特殊な表示や音声によるお知らせを行っても、そのようなお知らせのみでは、給湯器を使用するに当たって実使用上の不都合がなく、給湯器の利用者は機器の使用を問題なく続けることができる。そのため、給湯器の利用者が業者（メーカーや販売店など。）への問い合わせを行うことなく、給湯器を使い続けてしまう可能性がある。
【０００６】
一方、エラーからの復帰操作を複雑にした場合、専門の技術者が現場へ訪問するまでは、利用者が給湯器を使うことができなくなる。そのため、保守・点検さえ受けてもらえるのであれば、給湯器の使用を直ちに禁止すべき状況にまでは至っていないにもかかわらず、利用者が多大な不便を強いられることになる。
【０００７】
以上のような事情から、保守・点検が必要な時期となった際に、利用者に対して業者への問い合わせを促すことが可能な給湯器を提供することが望ましい。
【課題を解決するための手段】
【０００８】
以下に説明する給湯器は、水源側から供給される水を加熱して出湯箇所へと供給する給湯部と、ポンプを作動させて浴槽内から水を導入し、その水を加熱して浴槽へと循環させるふろ部と、給湯部及びふろ部の作動状態を制御する制御部とを備え、制御部は、浴槽への湯張り開始指令を受けた場合に、給湯部及びふろ部を制御して浴槽に所定量の湯を張るための湯張り処理を実行する湯張り処理部と、給湯部又はふろ部が所定以上の長期間にわたって使用された長期使用状態に至ったか否かを判定する判定部と、判定部によって長期使用状態に至っていないと判定された場合と長期使用状態に至ったと判定された場合とで、湯張り処理部による湯張り処理の開始から完了までに要する時間を変更する湯張り時間変更部とを有する。
【０００９】
このように構成された給湯器によれば、給湯部又はふろ部が所定以上の長期間にわたって使用された長期使用状態に至っていない場合と長期使用状態に至った場合とで、上述のような湯張り処理に要する時間が変更される。そのため、長期使用状態に至った場合には、浴槽への湯張りが完了するまでに、以前よりも時間がかかるようになるため、このことに気づいた利用者は違和感を覚え、機器の故障等を疑う。また、浴槽への湯張りを以前と同程度の時間で完了させたいと利用者が考えれば、機器の故障等を直したいと考える可能性も高まる。したがって、給湯器の利用者が業者への問い合わせを行う可能性を高めることができ、利用者が保守・点検を受けないまま給湯器を使い続けてしまうのを抑制することができる。
【図面の簡単な説明】
【００１０】
【図１】図１は給湯器の構成を示す説明図である。
【図２】図２は第一実施形態として例示する湯張り処理のフローチャートである。
【図３】図３は第二実施形態として例示する湯張り処理のフローチャートである。
【図４】図４は第三実施形態として例示する湯張り処理のフローチャートである。
【図５】図５は第四実施形態として例示する湯張り処理のフローチャートである。
【図６】図６は第五実施形態として例示する湯張り処理のフローチャートである。
【図７】図７は第六実施形態として例示する湯張り処理のフローチャートである。
【図８】図８は第七実施形態として例示する湯張り処理のフローチャートである。
【発明を実施するための形態】
【００１１】
次に、上述の給湯器について、例示的な実施形態を挙げて説明する。
（１）第一実施形態
まず、第一実施形態について説明する。
【００１２】
図１に示すように、給湯器１は、図示しない出湯箇所にある給湯栓や浴槽３などへ湯を供給する給湯器能と、浴槽３内にある湯の保温及び追い焚きを行うふろ機能とを備える装置である。
【００１３】
給湯器１は、給湯燃焼室５及びふろ燃焼室６を有する。給湯燃焼室５内には、給湯バーナ１１、給湯一次熱交換器１２Ａ、給湯二次熱交換器１２Ｂ、給湯点火プラグ１３、及び給湯フレームロッド１４などが配設されている。また、ふろ燃焼室６内には、ふろバーナ１５、ふろ一次熱交換器１６Ａ、ふろ二次熱交換器１６Ｂ、ふろ点火プラグ１７、ふろフレームロッド１８、及びふろ燃焼室サーミスタ１９などが配設されている。
【００１４】
給湯一次熱交換器１２Ａは、給湯バーナ１１での燃焼に伴って発生する高温の排気中から主に顕熱を回収する熱交換器である。給湯二次熱交換器１２Ｂは、給湯一次熱交換器１２Ａでの熱交換に伴って温度が低下した排気中から主に潜熱を回収する熱交換器である。ふろ一次熱交換器１６Ａは、ふろバーナ１５での燃焼に伴って発生する高温の排気中から主に顕熱を回収する熱交換器である。ふろ二次熱交換器１６Ｂは、ふろ一次熱交換器１６Ａでの熱交換に伴って温度が低下した排気中から主に潜熱を回収する熱交換器である。
【００１５】
給湯二次熱交換器１２Ｂ及びふろ二次熱交換器１６Ｂでは、相応に相対湿度が高い排気から更に熱を奪う。そのため、排気中の水蒸気が凝縮してドレン（凝縮水）が発生する。このドレンを処理するため、給湯器１には、ドレン排水管２０Ａ，２０Ｂ、中和器２１、及びドレンパン２２が設けられている。ドレンパン２２によって集められたドレンは、ドレン排水管２０Ａを介して中和器２１へと流入する。中和器２１は、窒素酸化物や硫黄酸化物を含有する酸性のドレンを中和するために設けられたものである。中和器２１の内部には、ドレンを中和させる中和剤（例えば、炭酸カルシウム）が充填されている。また、中和器２１の内部には、中和器２１内の水位が上限値を超えたときにオフからオンに切り替わる中和器水位電極２１Ａが設けられている。中和器２１から流出する中和後のドレンはドレン排水管２０Ｂを介して器外へ排出される。
【００１６】
また、給湯器１は、燃焼ファン２３を有し、ファンモータ２３Ａによって燃焼ファン２３を回転駆動することにより、給湯燃焼室５及びふろ燃焼室６への給気ができるように構成されている。給湯燃焼室５及びふろ燃焼室６の上部には、排気トップ２４が設けられ、排気トップ２４を介して給湯燃焼室５及びふろ燃焼室６の外部へ排気ができる構造とされている。また、給湯燃焼室５の近傍には、周囲が異常な高温状態となったときに溶断することで給湯器１の作動を強制停止させる過熱防止装置２５が付設されている。
【００１７】
また、給湯器１は、給湯バーナ１１及びふろバーナ１５へのガス供給路となるガス供給管２６を備えている。このガス供給管２６は、上流端側がガス供給源（例えば、都市ガス内管やプロパンガス用配管等）に接続された本管２６０、及び本管２６０から分岐した支管２６１，２６２，２６３，２６４によって構成され、支管２６１〜２６４を介して給湯バーナ１１及びふろバーナ１５へガスを供給可能に構成されている。ガス供給管２６において、本管２６０には元ガス電磁弁２７及びガス比例弁２８が設けられている。支管２６１〜２６４には給湯ガス電磁弁２９１，２９２，２９３、及びふろガス電磁弁２９４が設けられている。
【００１８】
さらに、給湯器１には、給湯器能用の配管として、給湯二次熱交換器１２Ｂへの入水路をなす給水管３０、給湯一次熱交換器１２Ａからの出湯路をなす出湯管３１、及び給水管３０の流路途中から分岐して出湯管３１へと連通するバイパス管３２が設けられている。また、ふろ機能用の配管として、浴槽３内の湯をふろ二次熱交換器１６Ｂへと戻すふろ戻り流路をなすふろ戻り配管３３、及びふろ一次熱交換器１６Ａから浴槽３へのふろ往き流路をなすふろ往き配管３４が設けられている。これらふろ戻り配管３３及びふろ往き配管３４は、浴槽３からふろ二次熱交換器１６Ｂ、ふろ一次熱交換器１６Ａを経て浴槽３へと戻る循環流路の一部を形成している。出湯管３１とふろ戻り配管３３との間には、出湯管３１の流路途中から分岐してふろ戻り配管３３の流路途中に連通する分岐管３５が設けられている。
【００１９】
これらの配管のうち、給水管３０は、その上流端側が水供給源（例えば、水道管）に接続されている。給水管３０の上流端側から下流端側に至る流路の途中には、上流端側から順に、上流側から下流側へと流れる水を濾過するストレーナ３６、給水管３０内を流れる水量を検出する給湯水量センサ３７、給湯一次熱交換器１２Ａへ流れる水の温度を検出する給湯入水サーミスタ３８、及び給水管３０内を流れる水量を増減制御する水量制御モータ３９などが設けられている。
【００２０】
出湯管３１は、その下流端側が配管を介して出湯箇所に接続される。出湯管３１の上流端側から下流端側に至る流路の途中には、上流端側から順に、空だきを感知した際に給湯器１を強制停止させるための給湯空だき安全装置４０、給湯一次熱交換器１２Ａから流出する湯の温度を検出する給湯熱交換器サーミスタ４１、出湯管３１とバイパス管３２の合流点よりも下流側において湯の温度を検出する給湯出湯サーミスタ４２、出湯管３１内の圧力が過大になったときに作動して圧力を逃がす過圧逃がし弁兼水抜栓４３、及び出湯停止時に発生する水撃作用を緩和する水撃緩衝弁４４などが設けられている。バイパス管３２には、バイパス管３２内を流れる水量を増減制御するバイパス制御モータ４５が設けられている。
【００２１】
分岐管３５は、出湯管３１側を上流側として下流側にあるふろ戻り配管３３への給湯路を形成する配管である。分岐管３５の上流端側から下流端側に至る流路の途中には、分岐管３５を介して浴槽３へ給湯を行う際に開弁される落とし込み水電磁弁４６、分岐管３５を流れる水量を検出するふろ水量センサ４７、及び分岐管３５における逆流を阻止する逆止弁４８Ａ，４８Ｂなどが設けられている。分岐管３５には縁切弁４９が設けられ、上水側（給水管３０側）の水圧低下等に起因して、分岐管３５よりも下流側となるべき流路から上流側となるべき流路へ水を吸い上げてしまうような負圧が生じた際には、縁切弁４９が開くことで、分岐管３５を介して水が逆流するのを防止している。
【００２２】
ふろ戻り配管３３は、上流端側がバスアダプタ５０を介して浴槽３に取り付けられている。ふろ戻り配管３３の上流端側から下流端側に至る流路の途中には、浴槽３から流入する湯の温度を検出するふろ戻りサーミスタ５１、ふろ戻り配管３３において上流側から下流側へ湯を圧送するポンプ５２、ふろ戻り配管３３内を水（湯）が流れたことを検出するふろ水流スイッチ５３、及びふろ戻り配管３３内の圧力に基づいて浴槽３内の水位を検出する水位センサ５４などが設けられている。
【００２３】
ちなみに、ふろ戻り配管３３は、浴槽３内の湯をふろ二次熱交換器１６Ｂへと圧送する際には、上述の通り、バスアダプタ５０側が上流端、ふろ二次熱交換器１６Ｂ側が下流端となる配管であるが、分岐管３５を介して浴槽３への給湯を行う際には、ふろ戻り配管３３と分岐管３５との合流点からバスアダプタ５０側へ向かって湯が逆向きに流れる状態になる。
【００２４】
ふろ往き配管３４は、下流端側がバスアダプタ５０を介して浴槽３に取り付けられている。ふろ往き配管３４の上流端側から下流端側に至る流路の途中には、空だきを感知した際に給湯器１を強制停止させるためのふろ空だき安全装置５５、ふろ一次熱交換器１６Ａから流出する湯の温度を検出するふろ往きサーミスタ５６が設けられている。
【００２５】
また、給湯器１が備える各種配管には、水抜き栓５７Ａ，５７Ｂ，５７Ｃ，５７Ｅ，５７Ｆが設けられ、これらの水抜き栓５７Ａ〜５７Ｆを開くことで、配管内の水を器外へ排出可能に構成されている。
【００２６】
加えて、給湯器１は、給湯器能やふろ機能の作動状態を制御するためのコントローラ６０（本明細書でいう制御部の一例に相当。）、浴室外に配設される給湯リモコン６１、及び浴室内に配設されるふろリモコン６２を備えている。コントローラ６０は、ＣＰＵ，ＲＯＭ，ＲＡＭなどを備えたマイクロコンピュータを内蔵しており、上述した各種センサ（給湯フレームロッド１４、ふろフレームロッド１８、給湯入水サーミスタ３８、給湯熱交換器サーミスタ４１、給湯出湯サーミスタ４２、ふろ戻りサーミスタ５１、ふろ往きサーミスタ５６等。）から情報を入力するとともに、上述した各種電磁弁（元ガス電磁弁２７、ガス比例弁２８、給湯ガス電磁弁２９１〜２９３、ふろガス電磁弁２９４、落とし込み水電磁弁４６等。）、各種モータ（ファンモータ２３Ａ、水量制御モータ３９、バイパス制御モータ４５）、ポンプ５２などの作動を制御する。
【００２７】
また、コントローラ６０は、長期使用状態に至った場合に、その旨の履歴情報を不揮発性メモリ（本明細書でいう履歴記憶部の一例に相当。）に記憶するように構成されている。なお、本実施形態の場合、給湯器１が使用開始から保守・点検を受けないまま１０年以上にわたって使われている場合、あるいは最後に保守・点検を受けてから１０年以上にわたって使われている場合に、長期使用状態に至ったと判断されて、その旨の履歴情報が不揮発性メモリに記憶される。
【００２８】
給湯リモコン６１及びふろリモコン６２は、双方とも利用者からの入力操作を受け付ける入力部と利用者に対する情報表示や音出力を行う出力部などのユーザーインターフェースを備え、入力部から入力された情報がコントローラ６０へ伝達されるとともに、コントローラ６０から伝達される情報に基づいて出力部から情報表示や音出力を行う仕組みになっている。入力部には、給湯器１を運転状態にするか運転停止状態にするかを切り替え可能な運転スイッチを含む複数のスイッチが設けられている。
【００２９】
給湯リモコン６１及びふろリモコン６２から出力される音としては、利用者に対して注意喚起するための警報音又は警報メッセージ、各種スイッチが操作された際に出力される受付音などがある。また、給湯リモコン６１及びふろリモコン６２は、給湯リモコン６１とふろリモコン６２との間で利用者が通話を実行可能に構成されている。給湯リモコン６１及びふろリモコン６２のうち、いずれか一方のリモコンにおいて利用者が通話を開始するための操作を行うと、他方のリモコンにおいては呼び出し音が出力される。この呼び出し音に応じて、他方のリモコンにおいて所定の操作を行うと、給湯リモコン６１とふろリモコン６２との間で通話を開始することができる。
【００３０】
［給湯操作時の作動状態］
次に、利用者が給湯操作を行ったときの給湯器１の作動状態について、その概要を説明する。利用者が出湯箇所にある給湯栓を開くと、水入口より流入した水は、給湯水量センサ３７、給湯二次熱交換器１２Ｂを経て給湯一次熱交換器１２Ａへと向かう。このとき、給湯水量センサ３７からは、流速に応じた周波数の信号が出力され、この信号が規定周波数に達したことをコントローラ６０が感知すると、コントローラ６０はファンモータ２３Ａを制御して燃焼ファン２３を回転させる。
【００３１】
燃焼ファン２３が回転してプリパージ動作が行われた後、元ガス電磁弁２７と給湯ガス電磁弁２９１〜２９３が同時に開かれ、ガス比例弁２８が緩点火動作となり、給湯バーナ１１にガスが供給される。これと同時に給湯点火プラグ１３から連続的に放電して給湯バーナ１１に点火する。点火後、給湯フレームロッド１４にて炎を検知し燃焼していることを確認したら緩点火動作を終了する。
【００３２】
緩点火動作を終了すると、続いて比例制御が開始される。給湯出湯サーミスタ４２で検出した湯温と利用者が任意に設定する設定温度との間に差があると、そのことをコントローラ６０が判断し、給湯ガス電磁弁２９１〜２９３の開閉及びガス比例弁２８によって、ガス量を連続的に変化させて出湯温度を一定に保つ。また、水量制御モータ３９により適切な水量に調節を行うため、常に最大能力の出湯量を確保する。このとき、コントローラ６０からは、ガス比例弁２８によるガス量の変化に応じて、ファンモータ２３Ａへ信号が送られ、これにより、常にガス量と空気量の関係が一定に保たれる。
【００３３】
以上のような給湯が行われている状況において、利用者が給湯栓を閉じると、給湯水量センサ３７からの周波数の信号がなくなるので、コントローラ６０は、元ガス電磁弁２７、給湯ガス電磁弁２９１〜２９３を閉じて消火し、ポストパージ動作に入る。その後、ポストパージ動作がタイムアップすると、燃焼ファン２３は停止する。
【００３４】
［ふろ操作時の作動状態］
次に、利用者がふろ操作を行ったときの給湯器１の作動状態について、その概要を説明する。利用者が給湯リモコン６１又はふろリモコン６２の自動スイッチを押すと、落とし込み水電磁弁４６がオンとされ、給湯水量センサ３７がオンとなって給湯燃焼動作を開始する。湯は、逆止弁４８Ａ，４８Ｂ、ふろ水量センサ４７を通って浴槽３に給湯される。その後、ふろ水量センサ４７で検出した水量が設定水量になれば、落とし込み水電磁弁４６がオフとされ、給湯水量センサ３７がオフとなって給湯燃焼が止まる。
【００３５】
次に、ポンプ５２が作動し、湯の循環を始める。湯が循環していることはふろ水流スイッチ５３によって検出される。このとき、ふろ戻りサーミスタ５１で感知した温度が設定温度以下であれば、コントローラ６０はファンモータ２３Ａを制御して燃焼ファン２３を回転させる。燃焼ファン２３が回転し、回転数の信号がコントローラ６０に伝えられたら、その後、元ガス電磁弁２７、ふろガス電磁弁２９４が開かれ、ふろバーナ１５にガスが供給されるのと同時にふろ点火プラグ１７から連続的に放電する。
【００３６】
ふろバーナ１５に点火すると、ふろフレームロッド１８により炎を感知し、点火プラグによる放電を停止し、ふろの加熱を始める。ポンプ５２にて循環されているふろの湯が設定温度に達すると、ふろ戻りサーミスタ５１にて温度を感知して、ふろバーナ１５を消火し、ポンプ５２を停止する。その後、沸き上がりを知らせる、お知らせブザーを鳴らす。
【００３７】
以上のような追い焚き燃焼が停止し、その後、浴槽３湯温確認までのインターバル時間が経過したら、ポンプ５２のみを作動させて、ふろの湯を循環させる。このとき、ふろの温度が設定温度より下がっていれば、追い焚きを行う。その後、ふろの温度が設定温度以上になれば、ポンプ５２の作動はそこで止まり、またインターバル時間が経過した後にポンプ５２が作動し、上記同様の動作を繰り返す。なお、これらの一連の動作は、給湯リモコン６１又はふろリモコン６２の自動スイッチを押すと停止する。
【００３８】
［湯張り処理］
以下、本実施形態の給湯器１において実行される湯張り処理について、図２に基づいて説明する。この湯張り処理は、給湯リモコン６１又はふろリモコン６２において「ふろ自動ボタン」が押された場合にコントローラ６０において実行される処理である。
【００３９】
湯張り処理を開始すると、コントローラ６０は、まず、給湯器１が長期使用状態に至っているか否かを判断する（Ｓ１）。なお、Ｓ１を実行するコントローラ６０が本明細書でいう判定部の一例に相当する。本実施形態の場合、給湯器１が使用開始から保守・点検を受けないまま１０年以上にわたって使われている場合、あるいは最後に保守・点検を受けてから１０年以上にわたって使われている場合に、給湯器１が長期使用状態に至っていると判断される。
【００４０】
Ｓ１において、給湯器１が長期使用状態に至っていると判断された場合（Ｓ１：ＹＥＳ）、コントローラ６０は、給湯器１が長期使用状態に至っている旨の履歴情報を、コントローラ６０の有する不揮発性メモリに記憶する（Ｓ２）。そして、所定時間待機してから（Ｓ３）、Ｓ１０へと進む。Ｓ３は、湯張り処理の開始から完了までに要する時間を遅延させるための処理ステップであり、Ｓ３を実行するコントローラ６０が本明細書でいう湯張り時間変更部の一例に相当する。なお、Ｓ３においてどの程度の時間待機するかは任意であるが、利用者が遅れを感じる程度の時間が好ましく、例えば５分あるいは１０分程度の遅れがあればよい。一方、Ｓ１において、給湯器１が長期使用状態に至っていないと判断された場合は（Ｓ１：ＮＯ）、上述のＳ２，Ｓ３を実行することなく、Ｓ１０へと進む。
【００４１】
こうしてＳ１又はＳ３のいずれか一方からＳ１０へと進むと、コントローラ６０は、落とし込み水電磁弁４６を開いて所定量の水を供給し、その間にポンプ５２を作動させることにより、ポンプ５２に呼び水を導入する（Ｓ１０）。そして、コントローラ６０は、ポンプ５２が作動した際にふろ水流スイッチ５３によって湯の循環を検出したか否かに基づいて、浴槽３に残り湯があるか否かを判断する（Ｓ２０）。
【００４２】
Ｓ２０において浴槽３に残り湯があると判断された場合（Ｓ２０：ＹＥＳ）、コントローラ６０は、浴槽３内の残り湯量を水位センサ５４によって検出し、利用者が任意に設定する設定湯量と残り湯量との差を必要湯量に設定する（Ｓ３０）。また、Ｓ２０において浴槽３に残り湯がないと判断された場合（Ｓ２０：ＮＯ）、コントローラ６０は、利用者が任意に設定する設定湯量を必要湯量に設定する（Ｓ４０）。
【００４３】
Ｓ３０又はＳ４０を終えると、コントローラ６０は、必要湯量を浴槽３へ落とし込む（Ｓ５０）。Ｓ５０において、コントローラ６０は、落とし込み水電磁弁４６を開いて給湯水量センサ３７で落とし込み湯量を計測し、計測された湯量がＳ３０又はＳ４０で設定された必要湯量に達したら、落とし込み水電磁弁４６を閉じる。
【００４４】
続いて、コントローラ６０は、浴槽の湯を沸かし上げる（Ｓ６０）。Ｓ６０において、コントローラ６０は、ポンプ５２を作動させることにより、ふろ一次熱交換器１６Ａ及びふろ二次熱交換器１６Ｂと浴槽３と間で湯を循環させ、燃焼ファン２３を作動させるとともにふろガス電磁弁２９４等を開いて、ふろバーナ１５においてガスに点火することで、浴槽３内の湯を加熱する。循環させている湯の温度は、ふろ戻りサーミスタ５１やふろ往きサーミスタ５６によって検出され、ここで検出される湯の温度に基づいて、コントローラ６０は、浴槽３内の湯温が利用者によって任意に設定される設定温度に到達したか否かを判断する。浴槽３内の湯温が設定温度に到達した場合、コントローラ６０は、ふろガス電磁弁２９４等を閉じてふろバーナ１５における燃焼を停止し、ポンプ５２による湯の循環を停止する。そして、燃焼ファン２３の作動を停止させる。
【００４５】
Ｓ６０を終えたら、コントローラ６０は、給湯リモコン６１及びふろリモコン６２において湯張り完了を報知し（Ｓ７０）、図２に示す湯張り処理を終了する。
［効果］
以上説明したように、上記給湯器１によれば、給湯器１が所定以上の長期間にわたって使用された長期使用状態に至っていない場合と長期使用状態に至った場合とで、上述のような湯張り処理（Ｓ１〜Ｓ７０）に要する時間が変更される。より詳しくは、上記給湯器１では、長期使用状態に至った場合に、長期使用状態に至っていない場合よりも、上述の呼び水の導入開始時期（Ｓ１０の実行開始時期）が遅れる。そのため、呼び水の導入完了後に実行される各種処理（Ｓ２０〜Ｓ７０）も遅れることになり、図２に示す湯張り処理の完了時期を遅らせることができる。
【００４６】
したがって、長期使用状態に至った場合には、浴槽３への湯張りが完了するまでに、以前よりも時間がかかるようになるため、このことに気づいた利用者は違和感を覚え、機器の故障等を疑う。また、浴槽３への湯張りを以前と同程度の時間で完了させたいと利用者が考えれば、機器の故障等を直したいと考える可能性も高まる。よって、給湯器１の利用者が業者への問い合わせを行う可能性を高めることができ、利用者が保守・点検を受けないまま給湯器１を使い続けてしまうのを抑制することができる。
【００４７】
また、上記給湯器１の場合、Ｓ２を実行することによって長期使用状態に至ったと判定された旨の履歴情報がコントローラ６０の不揮発性メモリに記憶される。したがって、専門の技術者が現場へ訪問した際には、履歴情報を確認することにより、長期使用状態に至ったことに起因して湯張り処理に長時間を要する状態となったのか、真の故障に起因して湯張り処理に長時間を要する状態となったのかを、容易に判断することができる。
【００４８】
（２）第二実施形態
次に、第二実施形態について説明する。なお、第二実施形態以降の各実施形態は、先に説明を終えた実施形態で例示した構成の一部を変更しただけなので、先に説明を終えた実施形態との相違点を中心に詳述し、先に説明を終えた実施形態と同様な部分に関しては、その詳細な説明を省略する。
【００４９】
［湯張り処理］
以下、第二実施形態における湯張り処理について、図３に基づいて説明する。第一実施形態の湯張り処理ではＳ１〜Ｓ３の処理ステップをＳ１０の前に実行していたが、これに代えて、第二実施形態の湯張り処理では、Ｓ１１〜Ｓ１３の処理ステップをＳ１０の後かつＳ２０の前に実行しており、この点で第一実施形態とは相違する。
【００５０】
すなわち、Ｓ１０においてポンプ５２に呼び水を導入した後、コントローラ６０は、給湯器１が長期使用状態に至っているか否かを判断する（Ｓ１１）。なお、Ｓ１１を実行するコントローラ６０が本明細書でいう判定部の一例に相当する。本実施形態の場合も、給湯器１が使用開始から保守・点検を受けないまま１０年以上にわたって使われている場合、あるいは最後に保守・点検を受けてから１０年以上にわたって使われている場合に、給湯器１が長期使用状態に至っていると判断される。この点は第一実施形態と同様である。
【００５１】
Ｓ１１において、給湯器１が長期使用状態に至っていると判断された場合（Ｓ１１：ＹＥＳ）、コントローラ６０は、給湯器１が長期使用状態に至っている旨の履歴情報を、コントローラ６０の有する不揮発性メモリに記憶する（Ｓ１２）。そして、所定時間待機してから（Ｓ１３）、Ｓ２０へと進む。これらＳ１２及びＳ１３は、第一実施形態において示したＳ２及びＳ３と同等な処理ステップであり、Ｓ１３を実行するコントローラ６０が本明細書でいう湯張り時間変更部の一例に相当する。一方、Ｓ１１において、給湯器１が長期使用状態に至っていないと判断された場合は（Ｓ１１：ＮＯ）、上述のＳ１２，Ｓ１３を実行することなく、Ｓ２０へと進む。
【００５２】
なお、Ｓ２０以降の処理ステップは、第一実施形態と全く同様なので、これ以上の説明については省略する。
［効果］
以上説明した第二実施形態の給湯器１であっても、給湯器１が所定以上の長期間にわたって使用された長期使用状態に至っていない場合と長期使用状態に至った場合とで、上述のような湯張り処理（Ｓ１０〜Ｓ７０）に要する時間が変更される。より詳しくは、上記給湯器１では、長期使用状態に至った場合に、長期使用状態に至っていない場合よりも、浴槽３内の残り湯の有無及び量を判定する判定時期（Ｓ２０の実行開始時期）が遅れる。そのため、浴槽３内の残り湯の有無及び量の判定完了後に実行される各種処理（Ｓ３０〜Ｓ７０）も遅れることになり、図３に示す湯張り処理の完了時期を遅らせることができる。
【００５３】
したがって、このような遅れに気づいた利用者が機器の故障等を疑えば、業者への問い合わせを行う可能性を高めることができ、利用者が保守・点検を受けないまま給湯器１を使い続けてしまうのを抑制することができる。
【００５４】
（３）第三実施形態
次に、第三実施形態について説明する。
［湯張り処理］
以下、第三実施形態における湯張り処理について、図４に基づいて説明する。第一実施形態の湯張り処理ではＳ１〜Ｓ３の処理ステップをＳ１０の前に実行していたが、これに代えて、第三実施形態の湯張り処理では、Ｓ４１〜Ｓ４３の処理ステップをＳ３０又はＳ４０の後かつＳ５０の前に実行しており、この点で第一実施形態及び第二実施形態とは相違する。
【００５５】
すなわち、Ｓ３０又はＳ４０において必要湯量を設定した後、コントローラ６０は、給湯器１が長期使用状態に至っているか否かを判断する（Ｓ４１）。なお、Ｓ４１を実行するコントローラ６０が本明細書でいう判定部の一例に相当する。具体的な判定手法は第一、第二実施形態と同様である。
【００５６】
Ｓ４１において、給湯器１が長期使用状態に至っていると判断された場合（Ｓ４１：ＹＥＳ）、コントローラ６０は、給湯器１が長期使用状態に至っている旨の履歴情報を、コントローラ６０の有する不揮発性メモリに記憶する（Ｓ４２）。そして、所定時間待機してから（Ｓ４３）、Ｓ５０へと進む。これらＳ４２及びＳ４３は、第一実施形態において示したＳ２及びＳ３と同等な処理ステップであり、Ｓ４３を実行するコントローラ６０が本明細書でいう湯張り時間変更部の一例に相当する。一方、Ｓ４１において、給湯器１が長期使用状態に至っていないと判断された場合は（Ｓ４１：ＮＯ）、上述のＳ４２，Ｓ４３を実行することなく、Ｓ５０へと進む。
【００５７】
なお、Ｓ５０以降の処理ステップは、第一実施形態と全く同様なので、これ以上の説明については省略する。
［効果］
以上説明した第三実施形態の給湯器１であっても、給湯器１が所定以上の長期間にわたって使用された長期使用状態に至っていない場合と長期使用状態に至った場合とで、上述のような湯張り処理（Ｓ１０〜Ｓ７０）に要する時間が変更される。より詳しくは、上記給湯器１では、長期使用状態に至った場合に、長期使用状態に至っていない場合よりも、必要湯量の落とし込み開始時期（Ｓ５０の実行開始時期）が遅れる。そのため、必要湯量の落とし込み完了後に実行される各種処理（Ｓ６０〜Ｓ７０）も遅れることになり、図４に示す湯張り処理の完了時期を遅らせることができる。したがって、このような遅れに気づいた利用者が機器の故障等を疑えば、業者への問い合わせを行う可能性を高めることができ、利用者が保守・点検を受けないまま給湯器１を使い続けてしまうのを抑制することができる。
【００５８】
（４）第四実施形態
次に、第四実施形態について説明する。
［湯張り処理］
以下、第四実施形態における湯張り処理について、図５に基づいて説明する。第一実施形態の湯張り処理ではＳ１〜Ｓ３の処理ステップをＳ１０の前に実行していたが、これに代えて、第四実施形態の湯張り処理では、Ｓ５１〜Ｓ５３の処理ステップをＳ５０の後かつＳ６０の前に実行しており、この点で第一実施形態〜第三実施形態とは相違する。
【００５９】
すなわち、Ｓ５０において必要湯量を浴槽３へ落とし込んだ後、コントローラ６０は、給湯器１が長期使用状態に至っているか否かを判断する（Ｓ５１）。なお、Ｓ５１を実行するコントローラ６０が本明細書でいう判定部の一例に相当する。具体的な判定手法は第一〜第三実施形態と同様である。
【００６０】
Ｓ５１において、給湯器１が長期使用状態に至っていると判断された場合（Ｓ５１：ＹＥＳ）、コントローラ６０は、給湯器１が長期使用状態に至っている旨の履歴情報を、コントローラ６０の有する不揮発性メモリに記憶する（Ｓ５２）。そして、所定時間待機してから（Ｓ５３）、Ｓ６０へと進む。これらＳ５２及びＳ５３は、第一実施形態において示したＳ２及びＳ３と同等な処理ステップであり、Ｓ５３を実行するコントローラ６０が本明細書でいう湯張り時間変更部の一例に相当する。一方、Ｓ５１において、給湯器１が長期使用状態に至っていないと判断された場合は（Ｓ５１：ＮＯ）、上述のＳ５２，Ｓ５３を実行することなく、Ｓ６０へと進む。
【００６１】
なお、Ｓ６０以降の処理ステップは、第一実施形態と全く同様なので、これ以上の説明については省略する。
［効果］
以上説明した第四実施形態の給湯器１であっても、給湯器１が所定以上の長期間にわたって使用された長期使用状態に至っていない場合と長期使用状態に至った場合とで、上述のような湯張り処理（Ｓ１０〜Ｓ７０）に要する時間が変更される。より詳しくは、上記給湯器１では、長期使用状態に至った場合に、長期使用状態に至っていない場合よりも、沸かし上げの開始時期（Ｓ６０の実行開始時期）が遅れる。そのため、沸かし上げの完了後に実行される処理（Ｓ７０）も遅れることになり、図５に示す湯張り処理の完了時期を遅らせることができる。したがって、このような遅れに気づいた利用者が機器の故障等を疑えば、業者への問い合わせを行う可能性を高めることができ、利用者が保守・点検を受けないまま給湯器１を使い続けてしまうのを抑制することができる。
【００６２】
（５）第五実施形態
次に、第五実施形態について説明する。
［湯張り処理］
以下、第五実施形態における湯張り処理について、図６に基づいて説明する。第一実施形態の湯張り処理ではＳ１〜Ｓ３の処理ステップをＳ１０の前に実行していたが、これに代えて、第五実施形態の湯張り処理では、Ｓ６１〜Ｓ６３の処理ステップをＳ６０の後かつＳ７０の前に実行しており、この点で第一実施形態〜第四実施形態とは相違する。
【００６３】
すなわち、Ｓ６０において浴槽３の湯を沸かし上げた後、コントローラ６０は、給湯器１が長期使用状態に至っているか否かを判断する（Ｓ６１）。なお、Ｓ６１を実行するコントローラ６０が本明細書でいう判定部の一例に相当する。具体的な判定手法は第一〜第四実施形態と同様である。
【００６４】
Ｓ６１において、給湯器１が長期使用状態に至っていると判断された場合（Ｓ６１：ＹＥＳ）、コントローラ６０は、給湯器１が長期使用状態に至っている旨の履歴情報を、コントローラ６０の有する不揮発性メモリに記憶する（Ｓ６２）。そして、所定時間待機してから（Ｓ６３）、Ｓ７０へと進む。これらＳ６２及びＳ６３は、第一実施形態において示したＳ２及びＳ３と同等な処理ステップであり、Ｓ６３を実行するコントローラ６０が本明細書でいう湯張り時間変更部の一例に相当する。一方、Ｓ６１において、給湯器１が長期使用状態に至っていないと判断された場合は（Ｓ６１：ＮＯ）、上述のＳ６２，Ｓ６３を実行することなく、Ｓ７０へと進む。
【００６５】
なお、Ｓ７０以降の処理ステップは、第一実施形態と全く同様なので、これ以上の説明については省略する。
［効果］
以上説明した第五実施形態の給湯器１であっても、給湯器１が所定以上の長期間にわたって使用された長期使用状態に至っていない場合と長期使用状態に至った場合とで、上述のような湯張り処理（Ｓ１０〜Ｓ７０）に要する時間が変更される。より詳しくは、上記給湯器１では、長期使用状態に至った場合に、長期使用状態に至っていない場合よりも、湯張り完了の報知時期（Ｓ７０の実行開始時期）が遅れる。そのため、利用者が湯張り完了に気づくのを遅らせることができる。したがって、湯張り完了の報知が以前よりも遅れることに気づいた利用者が機器の故障等を疑えば、業者への問い合わせを行う可能性を高めることができ、利用者が保守・点検を受けないまま給湯器１を使い続けてしまうのを抑制することができる。
【００６６】
（６）第六実施形態
次に、第六実施形態について説明する。
［湯張り処理］
以下、第六実施形態における湯張り処理について、図７に基づいて説明する。第一実施形態〜第五実施形態では、湯張り処理を遅延させる処理ステップＳ２，Ｓ１２，Ｓ４２，Ｓ５２，Ｓ６２を実行するタイミングが実施形態ごとに異なっていたが、第六実施形態では、湯張り処理を遅延させる処理ステップＳ５を実行するタイミングは、第一実施形態と同様である。ただし、第一実施形態の場合はＳ２において所定時間の待機を行っていたのに対し、第六実施形態の場合はＳ５において点検処理を実行する。
【００６７】
すなわち、湯張り処理を開始すると、コントローラ６０は、給湯器１が長期使用状態に至っているか否かを判断する（Ｓ１）。なお、Ｓ１を実行するコントローラ６０が本明細書でいう判定部の一例に相当する。具体的な判定手法は第一〜第五実施形態と同様である。
【００６８】
Ｓ１において、給湯器１が長期使用状態に至っていると判断された場合（Ｓ１：ＹＥＳ）、コントローラ６０は、給湯器１が長期使用状態に至っている旨の履歴情報を、コントローラ６０の有する不揮発性メモリに記憶する（Ｓ２）。そして、点検処理を実行する（Ｓ５）。Ｓ５において実行される点検処理は、Ｓ１で想定していた遅れと同等な時間内で完了する点検であれば、点検内容はどのような内容であってもよいが、例えば、各種センサが正常に作動しているかどうか等を点検するとよい。
【００６９】
点検処理を終えたらＳ１０へと進む。なお、Ｓ５を実行するコントローラ６０が本明細書でいう湯張り時間変更部の一例に相当する。一方、Ｓ１において、給湯器１が長期使用状態に至っていないと判断された場合は（Ｓ１：ＮＯ）、上述のＳ２，Ｓ５を実行することなく、Ｓ１０へと進む。
【００７０】
なお、Ｓ１０以降の処理ステップは、第一実施形態と全く同様なので、これ以上の説明については省略する。
［効果］
以上説明した第六実施形態の給湯器１であっても、給湯器１が所定以上の長期間にわたって使用された長期使用状態に至っていない場合と長期使用状態に至った場合とで、上述のような湯張り処理（Ｓ１０〜Ｓ７０）に要する時間が変更される。より詳しくは、上記給湯器１では、長期使用状態に至った場合に、長期使用状態に至っていない場合よりも、上述の呼び水の導入開始時期（Ｓ１０の実行開始時期）が遅れる。そのため、呼び水の導入完了後に実行される各種処理（Ｓ２０〜Ｓ７０）も遅れることになり、図７に示す湯張り処理の完了時期を遅らせることができる。
【００７１】
しかも、給湯器１によれば、長期使用状態に至った場合に、通常であれば湯張り処理中には実施しない所定の点検処理が実行され、点検処理に要する時間の分だけ湯張り処理の完了時期を遅らせることができる。したがって、湯張り処理を単に遅延させるだけではなく、その遅延時間を点検処理のために有効に利用することができる。
【００７２】
（７）第七実施形態
次に、第七実施形態について説明する。
［湯張り処理］
以下、第七実施形態における湯張り処理について、図８に基づいて説明する。第七実施形態では、長期使用状態に至っているか否かを判断する処理ステップＳ４１を実行するタイミングは、第三実施形態と同様である。ただし、第三実施形態の場合はＳ４３において所定時間の待機を行っていたのに対し、第七実施形態の場合はＳ５５及びＳ５６で、必要湯量を浴槽３へ落とし込むときの流量を変更する。
【００７３】
すなわち、Ｓ３０又はＳ４０において必要湯量を設定した後、コントローラ６０は、給湯器１が長期使用状態に至っているか否かを判断する（Ｓ４１）。なお、Ｓ４１を実行するコントローラ６０が本明細書でいう判定部の一例に相当する。具体的な判定手法は第一〜第六実施形態と同様である。
【００７４】
Ｓ４１において、給湯器１が長期使用状態に至っていないと判断された場合（Ｓ４１：ＮＯ）、コントローラ６０は、標準の流量で必要湯量を浴槽３へ落とし込む（Ｓ５５）。一方、Ｓ４１において、給湯器１が長期使用状態に至っていると判断された場合（Ｓ４１：ＹＥＳ）、コントローラ６０は、給湯器１が長期使用状態に至っている旨の履歴情報を、コントローラ６０の有する不揮発性メモリに記憶する（Ｓ４２）。そして、コントローラ６０は、標準の流量よりも少ない流量で必要湯量を浴槽３へ落とし込む（Ｓ５６）。
【００７５】
Ｓ５６では、給湯水量センサ３７によって検出される流量が、標準の流量よりも少ない流量（例えば、標準の流量の７０％。）となるように、水量制御モータ３９が制御される。これにより、Ｓ５５とＳ５６とで必要湯量は同じであっても、Ｓ５６の方が必要湯量を落とし込むために要する時間が長くなる。Ｓ５６を実行するコントローラ６０が本明細書でいう湯張り時間変更部の一例に相当する。
【００７６】
なお、Ｓ５５又はＳ５６を終えたらＳ６０へと進むが、Ｓ６０以降の処理ステップは、第一実施形態と全く同様なので、これ以上の説明については省略する。
［効果］
以上説明した第七実施形態の給湯器１であっても、給湯器１が所定以上の長期間にわたって使用された長期使用状態に至っていない場合と長期使用状態に至った場合とで、上述のような湯張り処理（Ｓ１０〜Ｓ７０）に要する時間が変更される。より詳しくは、上記給湯器１では、長期使用状態に至った場合に（Ｓ５６が実行される場合に）、長期使用状態に至っていない場合よりも（Ｓ５５が実行される場合よりも）、浴槽３へ供給される湯の流量が減少し、湯張り処理の完了時期を遅らせることができる。したがって、このような遅れに気づいた利用者が機器の故障等を疑えば、業者への問い合わせを行う可能性を高めることができ、利用者が保守・点検を受けないまま給湯器１を使い続けてしまうのを抑制することができる。
【００７７】
（８）補足
以上、給湯器について、例示的な実施形態を挙げて説明したが、上述の実施形態は本発明の一態様として例示されるものに過ぎない。すなわち、本発明は、上述の例示的な実施形態に限定されるものではなく、本発明の技術的思想を逸脱しない範囲内において、様々な形態で実施することができる。
【００７８】
例えば、上記実施形態では、上述の湯張り処理において、履歴情報を記憶する処理ステップを実行していたが、湯張り処理とは別処理において履歴情報を記憶するように構成して、湯張りとは異なるタイミングで履歴情報を記憶するようにしてもよい。その場合、上述の湯張り処理においては、履歴情報を記憶する処理ステップを省略してもよい。また、湯張り処理とは別処理で履歴情報を記憶する場合、上述の湯張り処理においては、上記のような別処理によって記憶される履歴情報がコントローラの有する不揮発性メモリに記憶されているか否かを判断することで、給湯器１が長期使用状態に至っているか否かを判断するようにしてもよい。
【００７９】
なお、以上説明した例示的な実施形態から、本明細書で説明した給湯器は、更に以下に挙げるような構成を備えていてもよいことが把握できる。
まず、本明細書で説明した給湯器において、湯張り処理部は、浴槽への湯張りの際に、ふろ部に設けられたポンプに対し、給湯部から呼び水を供給する処理を実行するように構成され、湯張り時間変更部は、判定部によって長期使用状態に至ったと判定された場合に、長期使用状態に至っていないと判定された場合よりも、呼び水の導入開始時期を所定時間だけ遅延させることにより、湯張り処理に要する時間が長くなるように構成されていてもよい。
【００８０】
このように構成された給湯器によれば、長期使用状態に至った場合に、長期使用状態に至っていない場合よりも、呼び水の導入開始時期が遅れる。そのため、呼び水の導入完了後に実行される各種処理も遅れることになり、湯張り処理の完了時期を遅らせることができる。したがって、このような遅れに気づいた利用者が機器の故障等を疑えば、業者への問い合わせを行う可能性を高めることができ、利用者が保守・点検を受けないまま給湯器を使い続けてしまうのを抑制することができる。
【００８１】
また、本明細書で説明した給湯器において、湯張り処理部は、浴槽への湯張りの際に、浴槽内の残り湯の有無及び量を判定する処理を実行するように構成され、湯張り時間変更部は、判定部によって長期使用状態に至ったと判定された場合に、長期使用状態に至っていないと判定された場合よりも、浴槽内の残り湯の有無及び量を判定する判定時期を所定時間だけ遅延させることにより、湯張り処理に要する時間が長くなるように構成されていてもよい。
【００８２】
このように構成された給湯器によれば、長期使用状態に至った場合に、長期使用状態に至っていない場合よりも、浴槽内の残り湯の有無及び量を判定する判定時期が遅れる。そのため、浴槽内の残り湯の有無及び量の判定完了後に実行される各種処理も遅れることになり、湯張り処理の完了時期を遅らせることができる。したがって、このような遅れに気づいた利用者が機器の故障等を疑えば、業者への問い合わせを行う可能性を高めることができ、利用者が保守・点検を受けないまま給湯器を使い続けてしまうのを抑制することができる。
【００８３】
また、本明細書で説明した給湯器において、湯張り処理部は、浴槽への湯張りの際に、浴槽内の湯量を設定湯量とするのに必要な必要湯量を給湯部から浴槽へ落とし込む処理を実行するように構成され、湯張り時間変更部は、判定部によって長期使用状態に至ったと判定された場合に、長期使用状態に至っていないと判定された場合よりも、必要湯量の落とし込み開始時期を所定時間だけ遅延させることにより、湯張り処理に要する時間が長くなるように構成されていてもよい。
【００８４】
このように構成された給湯器によれば、長期使用状態に至った場合に、長期使用状態に至っていない場合よりも、必要湯量の落とし込み開始時期が遅れる。そのため、必要湯量の落とし込み完了後に実行される各種処理も遅れることになり、湯張り処理の完了時期を遅らせることができる。したがって、このような遅れに気づいた利用者が機器の故障等を疑えば、業者への問い合わせを行う可能性を高めることができ、利用者が保守・点検を受けないまま給湯器を使い続けてしまうのを抑制することができる。
【００８５】
また、本明細書で説明した給湯器において、湯張り処理部は、浴槽への湯張りの際に、浴槽内の湯温が設定温度となるまで沸かし上げる処理を実行するように構成され、湯張り時間変更部は、判定部によって長期使用状態に至ったと判定された場合に、長期使用状態に至っていないと判定された場合よりも、沸かし上げの開始時期を所定時間だけ遅延させることにより、湯張り処理に要する時間が長くなるように構成されていてもよい。
【００８６】
このように構成された給湯器によれば、長期使用状態に至った場合に、長期使用状態に至っていない場合よりも、沸かし上げの開始時期が遅れる。そのため、沸かし上げの完了後に実行される各種処理も遅れることになり、湯張り処理の完了時期を遅らせることができる。したがって、このような遅れに気づいた利用者が機器の故障等を疑えば、業者への問い合わせを行う可能性を高めることができ、利用者が保守・点検を受けないまま給湯器を使い続けてしまうのを抑制することができる。
【００８７】
また、本明細書で説明した給湯器において、湯張り処理部は、浴槽への湯張りの際に、湯張りが完了した旨を利用者に対して報知する処理を実行するように構成され、湯張り時間変更部は、判定部によって長期使用状態に至ったと判定された場合に、長期使用状態に至っていないと判定された場合よりも、利用者に対する湯張り完了の報知時期を所定時間だけ遅延させることにより、湯張り処理に要する時間が長くなるように構成されていてもよい。
【００８８】
このように構成された給湯器によれば、長期使用状態に至った場合に、長期使用状態に至っていない場合よりも、湯張り完了の報知時期が遅れる。そのため、利用者が湯張り完了に気づくのを遅らせることができる。したがって、湯張り完了の報知が以前よりも遅れることに気づいた利用者が機器の故障等を疑えば、業者への問い合わせを行う可能性を高めることができ、利用者が保守・点検を受けないまま給湯器を使い続けてしまうのを抑制することができる。
【００８９】
また、本明細書で説明した給湯器において、湯張り時間変更部は、判定部によって長期使用状態に至ったと判定された場合に、長期使用状態に至っていないと判定された場合よりも、浴槽へ供給される湯の流量を減少させることにより、湯張り処理に要する時間が長くなるように構成されていてもよい。
【００９０】
このように構成された給湯器によれば、長期使用状態に至った場合に、長期使用状態に至っていない場合よりも、浴槽へ供給される湯の流量が減少し、湯張り処理の完了時期を遅らせることができる。したがって、このような遅れに気づいた利用者が機器の故障等を疑えば、業者への問い合わせを行う可能性を高めることができ、利用者が保守・点検を受けないまま給湯器を使い続けてしまうのを抑制することができる。
【００９１】
また、本明細書で説明した給湯器において、湯張り時間変更部は、判定部によって長期使用状態に至ったと判定された場合に、長期使用状態に至っていないと判定された場合には湯張り処理中には実施しない所定の点検処理を実行することにより、湯張り処理に要する時間が長くなるように構成されていてもよい。
【００９２】
このように構成された給湯器によれば、長期使用状態に至った場合に、湯張り処理中には実施しない所定の点検処理が実行され、点検処理に要する時間の分だけ湯張り処理の完了時期を遅らせることができる。したがって、このような遅れに気づいた利用者が機器の故障等を疑えば、業者への問い合わせを行う可能性を高めることができ、利用者が保守・点検を受けないまま給湯器を使い続けてしまうのを抑制することができる。また、湯張り処理を単に遅延させるだけではなく、その遅延時間を点検処理のために有効に利用することができる。
【００９３】
また、本明細書で説明した給湯器において、制御部は、判定部によって長期使用状態に至ったと判定された場合に、その旨の履歴情報を記憶する履歴記憶部を有していてもよい。
【００９４】
このように構成された給湯器によれば、判定部によって長期使用状態に至ったと判定された旨の履歴情報が履歴記憶部に記憶される。したがって、専門の技術者が現場へ訪問した際には、履歴情報を確認することにより、長期使用状態に至ったことに起因して湯張り処理に長時間を要する状態となったのか、真の故障に起因して湯張り処理に長時間を要する状態となったのかを、容易に判断することができる。
【符号の説明】
【００９５】
１…給湯器、３…浴槽、５…給湯燃焼室、６…ふろ燃焼室、１１…給湯バーナ、１２Ａ…給湯一次熱交換器、１２Ｂ…給湯二次熱交換器、１３…給湯点火プラグ、１４…給湯フレームロッド、１５…ふろバーナ、１６Ａ…ふろ一次熱交換器、１６Ｂ…ふろ二次熱交換器、１７…ふろ点火プラグ、１８…ふろフレームロッド、１９…ふろ燃焼室サーミスタ、２０Ａ，２０Ｂ…ドレン排水管、２１…中和器、２１Ａ…中和器水位電極、２２…ドレンパン、２３…燃焼ファン、２３Ａ…ファンモータ、２４…排気トップ、２５…過熱防止装置、２６…ガス供給管、２６０…本管、２６１，２６２，２６３，２６４…支管、２７…元ガス電磁弁、２８…ガス比例弁、２９１，２９２，２９３…給湯ガス電磁弁、２９４…ふろガス電磁弁、３０…給水管、３１…出湯管、３２…バイパス管、３３…ふろ戻り配管、３４…ふろ往き配管、３５…分岐管、３６…ストレーナ、３７…給湯水量センサ、３８…給湯入水サーミスタ、３９…水量制御モータ、４０…給湯空だき安全装置、４１…給湯熱交換器サーミスタ、４２…給湯出湯サーミスタ、４３…過圧逃がし弁兼水抜栓、４４…水撃緩衝弁、４５…バイパス制御モータ、４６…落とし込み水電磁弁、４７…ふろ水量センサ、４８Ａ，４８Ｂ…逆止弁、４９…縁切弁、５０…バスアダプタ、５１…ふろ戻りサーミスタ、５２…ポンプ、５３…ふろ水流スイッチ、５４…水位センサ、５５…ふろ空だき安全装置、５６…ふろ往きサーミスタ、５７Ａ，５７Ｂ，５７Ｃ，５７Ｅ，５７Ｆ…水抜き栓、６０…コントローラ、６１…給湯リモコン、６２…ふろリモコン。
【図１】
0006486756.tif 000002
【図２】
0006486756.tif 000003
【図３】
0006486756.tif 000004
【図４】
0006486756.tif 000005
【図５】
0006486756.tif 000006
【図６】
0006486756.tif 000007
【図７】
0006486756.tif 000008
【図８】
0006486756.tif 000009